【手続補正書】
【提出日】平成25年9月3日(2013.9.3)
【手続補正１】
【補正対象書類名】特許請求の範囲
【補正対象項目名】全文
【補正方法】変更
【補正の内容】
【特許請求の範囲】
【請求項１】
留め具が締まりばめを受けるとき応力に曝される留め具の領域を介してせん断波超音波信号を送信し、該送信された超音波信号が、前記領域を通過する結果、前記留め具が受ける締まりばめの強度に対応してモード変換されるステップと、
前記留め具から長手方向波とせん断波とを含む帰還超音波信号を受信するステップと、
前記帰還超音波信号の前記せん断波の非モード変換成分の振幅に対する前記長手方向波のモード変換成分のエネルギーレベルの比から、前記留め具が受ける締まりばめの強度を決定するステップと、
前記締まりばめの強度を示す値を出力するステップと
を含む方法。
【請求項２】
前記締まりばめが前記留め具と複合材料との間で行われる、請求項１に記載の方法。
【請求項３】
前記帰還信号が前記留め具のシャンクの端面から反射する、請求項１に記載の方法。
【請求項４】
前記締まりばめ強度を示す値が使用継続／中止の指示である、請求項１に記載の方法。
【請求項５】
前記せん断波超音波信号を、トランスジューサによってせん断波伝搬ジェルカプラント接触面を介して送信し、本方法が、さらに、前記超音波信号の送信及び受信の間に、前記トランスジューサを前記留め具に選択された力で適用するステップを含む、請求項１に記載の方法。
【請求項６】
前記せん断波超音波信号をトランスジューサによって送信し、本方法が、さらに、前記超音波トランスジューサと前記留め具とを位置調整するステップを含む、請求項１に記載の方法。
【請求項７】
前記位置調整するステップが、さらに、前記留め具の構成に基づいて前記超音波トランスジューサと前記留め具とを位置調整することを含む、請求項６に記載の方法。
【請求項８】
さらに、前記留め具の異なる領域を介して別のせん断波超音波信号を送信するステップと、前記留め具が受ける別の締まりばめの強度を決定するステップとを含む、請求項１に記載の方法。
【請求項９】
超音波トランスジューサと、
前記トランスジューサと通信を行うプロセッサと、
前記プロセッサと通信を行い、コンピュータで読み込み可能な指令を保存するメモリであって、前記指令を前記プロセッサで実行すると、前記プロセッサが、
前記超音波トランスジューサを介してせん断波超音波信号を送信するステップであって、前記超音波トランスジューサがせん断波伝搬ジェルカプラントの接触面を介して留め具と位置調整されると、前記超音波トランスジューサが、前記留め具が締まりばめを受けるとき応力に曝される留め具の領域を介して、せん断波超音波信号を送信するステップと、
前記超音波トランスジューサが前記留め具と位置調整されると、前記超音波トランスジューサを介して前記留め具から長手方向波とせん断波とを含む帰還超音波信号を受信するステップであって、前記帰還超音波信号が、応力に曝されている領域を通過する際に、前記留め具が受けている締まりばめの強度に応じてモード変換を受けるステップと、
前記せん断波の非モード変換成分の振幅に対する前記長手方向波の非モード変換成分のエネルギーレベルの比から、前記帰還超音波信号の前記モード変換に基づいて、前記留め具が受けている締まりばめの強度を決定するステップと、
前記締まりばめの強度を示す値を出力するステップと
を含む動作を実施する、メモリと
を備えたシステム。
【手続補正２】
【補正対象書類名】明細書
【補正対象項目名】００５９
【補正方法】変更
【補正の内容】
【００５９】
上述のように、本開示の好適かつ代替可能な実施形態は図解され説明されているが、本開示の精神及び範囲を逸脱することなく、多くの変更を行うことができる。したがって、本開示の範囲はこれらの好適かつ代替可能な実施形態によって限定されることはない。むしろ、本開示は特許請求の範囲を参照して全体的に決定されるべきである。
また、本願は以下に記載する態様を含む。
（態様１）
留め具が締まりばめを受けるとき応力に曝される留め具の領域を介してせん断波超音波信号を送信し、該送信された超音波信号が、前記領域を通過する結果、前記留め具が受ける締まりばめの強度に対応してモード変換されるステップと、
前記留め具から帰還超音波信号を受信するステップと、
前記帰還超音波信号に基づいて、前記留め具が受ける締まりばめの強度を決定するステップと、
前記締まりばめの強度を示す値を出力するステップと
を含む方法。
（態様２）
前記締まりばめが前記留め具と複合材料との間で行われる、態様１に記載の方法。
（態様３）
前記帰還信号が前記留め具のシャンクの端面から反射する、態様１に記載の方法。
（態様４）
前記締まりばめ強度を示す値が使用継続／中止の指示である、態様１に記載の方法。
（態様５）
前記決定が前記帰還超音波信号の長手方向波成分のエネルギーとせん断波成分のエネルギーとの比較をさらに含む、態様１に記載の方法。
（態様６）
前記せん断波超音波信号を、トランスジューサによってせん断波伝搬ジェルカプラント接触面を介して送信し、本方法が、さらに、前記超音波信号の送信及び受信の間に、前記トランスジューサを前記留め具に選択された力で適用するステップを含む、態様１に記載の方法。
（態様７）
前記せん断波超音波信号をトランスジューサによって送信し、本方法が、さらに、前記超音波トランスジューサと前記留め具とを位置調整するステップを含む、態様１に記載の方法。
（態様８）
前記位置調整するステップが、さらに、前記留め具の構成に基づいて前記超音波トランスジューサと前記留め具とを位置調整することを含む、態様７に記載の方法。
（態様９）
さらに、前記留め具の異なる領域を介して別のせん断波超音波信号を送信するステップと、前記留め具が受ける別の締まりばめの強度を決定するステップとを含む、態様１に記載の方法。
（態様１０）
超音波トランスジューサと、
前記トランスジューサと通信を行うプロセッサと、
前記プロセッサと通信を行い、コンピュータで読み込み可能な指令を保存するメモリであって、前記指令を前記プロセッサで実行すると、前記プロセッサが、
前記超音波トランスジューサを介してせん断波超音波信号を送信するステップであって、前記超音波トランスジューサがせん断波伝搬ジェルカプラントの接触面を介して留め具と位置調整されると、前記超音波トランスジューサが、前記留め具が締まりばめを受けるとき応力に曝される留め具の領域を介して、せん断波超音波信号を送信するステップと、
前記超音波トランスジューサが前記留め具と位置調整されると、前記超音波トランスジューサを介して前記留め具から帰還超音波信号を受信するステップであって、前記帰還超音波信号が、応力に曝されている領域を通過する際に、前記留め具が受けている締まりばめの強度に応じてモード変換を受けるステップと、
前記帰還超音波信号の前記モード変換に基づいて、前記留め具が受けている締まりばめの強度を決定するステップと、
前記締まりばめの強度を示す値を出力するステップと
を含む動作を実施する、メモリと
を備えたシステム。
（態様１１）
コンピュータで読み込み可能な指令を保存するコンピュータで読み込み可能な記憶媒体であって、前記指令を前記プロセッサで実行すると、前記プロセッサが、
超音波トランスジューサを介してせん断波超音波信号を送信するステップであって、前記超音波トランスジューサが留め具と位置調整されると、前記超音波トランスジューサが、前記留め具が締まりばめを受けるときに締め具が応力に曝される領域を介して、前記せん断波超音波信号を送信するステップと、
前記超音波トランスジューサが前記留め具と位置調整されると、前記超音波トランスジューサを介して、前記留め具から帰還超音波信号を受信するステップであって、前記帰還超音波信号が、応力に曝されている領域を通過する際に、前記留め具が受けている締まりばめの強度に応じてモード変換を受けるステップと、
前記帰還超音波信号の前記モード変換に基づいて、前記留め具が受けている締まりばめの強度を決定するステップと、
前記締まりばめの前記強度を示す値を出力するステップと
を含む動作を実施する、コンピュータで読み込み可能な記憶媒体。